(57)【要約】【課題】意匠性に優れたビーズ溶着作品を簡単に作製できる溶着ビーズ玩具を提供する。【解決手段】粒状ビーズの底部を保持する保持凹部１２が等間隔に形成された水平なベース面１１を有する基板部材２と、該基板部材２のベース面１１に重なるように設置されて、ベース面１１との間で、ベース面１１上の粒状ビーズを挟圧する挟圧部材３と、基板部材２と挟圧部材３を、粒状ビーズを挟圧する状態に保持する挟圧保持機構とによって溶着ビーズ玩具１を構成し、ベース面１１上に熱可塑性樹脂からなる粒状ビーズを並べ、該粒状ビーズに水分を供給した後、挟圧保持機構によって基板部材２と挟圧部材３の間で粒状ビーズを挟圧しながら電子レンジで加熱することによって、該粒状ビーズを塑性変形させるとともに相互に溶着するようにした。【選択図】図２
2011139820.tif 000002
【特許請求の範囲】
【請求項１】
平面配列した複数のビーズを一体的に溶着してなるビーズ溶着作品を作製するための溶着ビーズ玩具であって、
粒状ビーズの底部を保持する保持凹部が等間隔に形成された水平なベース面を有する基板部材と、
該基板部材のベース面に重なるように設置されて、ベース面との間で、ベース面上の粒状ビーズを挟圧する挟圧部材と、
基板部材と挟圧部材を、粒状ビーズを挟圧する状態に保持する挟圧保持機構とを備え、
ベース面上に熱可塑性樹脂からなる粒状ビーズを並べ、該粒状ビーズに水分を供給した後、挟圧保持機構によって基板部材と挟圧部材の間で粒状ビーズを挟圧しながら電子レンジで加熱することにより、該粒状ビーズを塑性変形させるとともに相互に溶着するものであることを特徴とする溶着ビーズ玩具。
【請求項２】
基板部材及び挟圧部材は板状部材であり、
挟圧保持機構は、基板部材と挟圧部材を重ねて載置する台座部材と、台座部材の上に載置された挟圧部材に被さる蓋部材と、基板部材と挟圧部材を挟持した状態で台座部材と蓋部材を固定するロック機構とを備えてなることを特徴とする請求項１記載の溶着ビーズ玩具。
【請求項３】
基板部材は、ベース面上の保持凹部の形状又は配置が異なる複数種類の中から選択されることを特徴とする請求項１又は請求項２に記載の溶着ビーズ玩具。
【請求項４】
挟圧部材は、ベース面と上下に対向して、粒状ビーズを下方に押圧する挟圧面を備えるものであって、該挟圧面の表面形状が異なる複数種類の中から選択されることを特徴とする請求項１乃至請求項３のいずれか１項に記載の溶着ビーズ玩具。
【請求項５】
挟圧部材は、ベース面と上下に対向して、粒状ビーズを下方に押圧する挟圧面を両面に備える板状部材であり、該両面の挟圧面は夫々表面形状が異なっており、挟圧部材は、該両面の挟圧面を選択的にベース面と対向させることを特徴とする請求項１乃至請求項４のいずれか１項に記載の溶着ビーズ玩具。
【請求項６】
電子レンジのマイクロ波を透過可能な耐熱性材料で構成されていることを特徴とする請求項１乃至請求項５のいずれか１項に記載の溶着ビーズ玩具。
【発明の詳細な説明】
【技術分野】
【０００１】
本発明は、平面配列した複数のビーズを一体的に溶着してなるビーズ溶着作品を作製するための溶着ビーズ玩具に関する。
【背景技術】
【０００２】
熱可塑性樹脂からなる複数のビーズを平面上に並べた状態で相互に溶着し、様々なデザインのビーズ溶着作品を作製する溶着ビーズ玩具が知られている（例えば特許文献１。）。特許文献１に記載された従来の溶着ビーズ玩具は、複数のガイドピンが等間隔に立設された基板部材を備えており、孔あきビーズを一個ずつガイドピンに挿通して基板部材上に保持し、所要配列に並べたビーズをアイロンで加熱することによってビーズ同士を溶着するものである。
【先行技術文献】
【特許文献】
【０００３】
【特許文献１】特開２００５−３４４２９号公報
【発明の概要】
【発明が解決しようとする課題】
【０００４】
上記従来の溶着ビーズ玩具は、孔あきビーズをガイドピンに挿通保持した状態で溶着する構成であるため、表裏の意匠面にガイドピンの孔が開いたビーズ溶着作品しか作製できず、意匠性の向上が求められている。また、ビーズを溶着するのにわざわざアイロンを予熱しなくてはならず、溶着作業が面倒である。また、子供がアイロンを使用する際にはアイロン火傷をしないように十分に注意しなくてはならず、子供の年齢によっては大人が溶着作業を代行しなくてはならない。
【０００５】
本発明は、かかる現状に鑑みてなされたものであり、従来の溶着ビーズ玩具に比べて、意匠性に優れたビーズ溶着作品を簡単に作製できる溶着ビーズ玩具の提供を目的とする。
【課題を解決するための手段】
【０００６】
本発明は、平面配列した複数のビーズを一体的に溶着してなるビーズ溶着作品を作製するための溶着ビーズ玩具であって、粒状ビーズの底部を保持する保持凹部が等間隔に形成された水平なベース面を有する基板部材と、該基板部材のベース面に重なるように設置されて、ベース面との間で、ベース面上の粒状ビーズを挟圧する挟圧部材と、基板部材と挟圧部材を、粒状ビーズを挟圧する状態に保持する挟圧保持機構とを備え、ベース面上に熱可塑性樹脂からなる粒状ビーズを並べ、該粒状ビーズに水分を供給した後、挟圧保持機構によって基板部材と挟圧部材の間で粒状ビーズを挟圧しながら電子レンジで加熱することにより、該粒状ビーズを塑性変形させるとともに相互に溶着するものであることを特徴とする溶着ビーズ玩具である。
【０００７】
かかる溶着ビーズ玩具は、基板部材上の保持凹部に粒状ビーズを保持する構成であるため、孔なしビーズを使用することで意匠面に孔のないビーズ溶着作品を作製でき、また、孔あきビーズであっても十分に加熱して変形させれば、意匠面に孔のないビーズ溶着作品を作製し得る。また、本発明では、基板部材と挟圧部材で挟圧しながら粒状ビーズを変形・溶着させるものであるため、基板部材や挟圧部材の、粒状ビーズを挟圧する部位に意匠性のある凹凸形状を形成することで、ビーズ溶着作品の表面に前記凹凸形状に倣う意匠性のある凹凸形状を形成できる。また、本発明の溶着ビーズ玩具は、ビーズの溶着作業を電子レンジを用いて行うことができるため、アイロンを用いる従来の溶着ビーズ玩具よりもビーズ溶着作品を簡単に作製でき、また、溶着作業において火傷をする危険性も少なくなる。
【０００８】
本発明にあっては、基板部材及び挟圧部材は板状部材であり、挟圧保持機構は、基板部材と挟圧部材を重ねて載置する台座部材と、台座部材の上に載置された挟圧部材に被さる蓋部材と、基板部材と挟圧部材を挟持した状態で台座部材と蓋部材を固定するロック機構とを備えてなることが提案される。かかる構成にあっては、基板部材及び挟圧部材が、挟圧保持機構と分離可能な、シンプルな板状部材となるため、基板部材や挟圧部材を簡単に交換可能となる。
【０００９】
また、本発明にあっては、基板部材は、ベース面上の保持凹部の形状又は配置の異なる複数種類の中から選択されることが提案される。また、挟圧部材は、ベース面と上下に対向して、粒状ビーズを下方に押圧する挟圧面を備えるものであって、該挟圧面の表面形状が異なる複数種類の中から選択されることが提案される。かかる構成にあっては、基板部材や挟圧部材を適宜選択することで、ビーズ溶着作品の表面に様々な凹凸形状を形成可能となる。
【００１０】
また、本発明にあって、挟圧部材は、ベース面と上下に対向して、粒状ビーズを下方に押圧する挟圧面を両面に備える板状部材であり、該両面の挟圧面は夫々表面形状が異なっており、挟圧部材は、該両面の挟圧面を選択的にベース面と対向させることが提案される。かかる構成にあっては、一枚の挟圧部材によって、二通りの表面形状を有するビーズ溶着作品を作製可能となる。
【００１１】
また、本発明の溶着ビーズ玩具は、電子レンジのマイクロ波を透過可能な耐熱性材料で構成されていることが提案される。かかる構成にあっては、電子レンジのマイクロ波がベース面上の粒状ビーズに到達し、水分を介して粒状ビーズを確実に加熱できる。また、本発明の溶着ビーズ玩具には、１００℃以下の温度で溶着・塑性変形可能となる熱可塑性材料製の粒状ビーズを好適に使用できる。粒状ビーズには、球状の孔なしビーズを使用することが望ましいが、孔あきビーズも使用可能であり、また、直方体状や短円筒状のビーズなども使用可能である。
【発明の効果】
【００１２】
以上に述べたように、本発明の溶着ビーズ玩具によれば、意匠面に孔のないビーズ溶着作品を作製することができ、従来の溶着ビーズ玩具に比べて、意匠性に優れたビーズ溶着作品を作製可能となる。また、本発明の溶着ビーズ玩具は、電子レンジを使用してビーズを変形・溶着させるものであるから、アイロンを使用する従来の溶着ビーズ玩具に比べて、簡単に、かつ安全にビーズ溶着作品を作製できるという利点がある。
【図面の簡単な説明】
【００１３】
【図１】溶着ビーズ玩具１の斜視図である。
【図２】溶着ビーズ玩具１の分解斜視図である。
【図３】蓋部材７を分離して示す溶着ビーズ玩具１の斜視図である。
【図４】蓋部材７を取り除き挟圧部材３を分離して示す溶着ビーズ玩具１の斜視図である。
【図５】基板部材２と下絵シート５と台座部材６を分離して示す斜視図である。
【図６】蓋部材７と挟圧部材３を分離して示す、溶着ビーズ玩具１の裏面側の斜視図である。
【図７】係合部材９と連係部材１０を台座部材６から分離して示す斜視図である。
【図８】溶着ビーズ玩具１を長尺方向の中央位置で切断して示す縦断面図である。
【図９】溶着ビーズ玩具１の使用方法を示す説明図である。
【図１０】溶着ビーズ玩具１の使用方法を示す説明図である。
【図１１】（ａ）は、ビーズ溶着作品Ｐの表面図であり、（ｂ）は、同ビーズ溶着作品Ｐの裏面図である。
【発明を実施するための形態】
【００１４】
本発明の実施形態を、以下の実施例に従って説明する。
【００１５】
本実施例の溶着ビーズ玩具１は、図１，２に示すように、粒状ビーズを載せる板状の基板部材２と、該基板部材２の上に設置されて、基板部材２との間で粒状ビーズを挟圧する板状の挟圧部材３と、基板部材２と挟圧部材３とを、粒状ビーズを挟圧する状態に保持する挟圧保持機構と、基板部材２に粒状ビーズを載せる際の指標となる下絵シート５とを備えている。挟圧保持機構は、基板部材２と挟圧部材３を重ねて載置する台座部材６と、挟圧部材３の上に被さる蓋部材７と、基板部材２と挟圧部材３を挟持した状態で台座部材６と蓋部材７を固定するロック機構８とを備えてなる。図２に示すように、ロック機構８の解除状態では台座部材６から蓋部材７を分離することができ、蓋部材７を分離すると、基板部材２、挟圧部材３及び下絵シート５を台座部材６から取り外し可能となる。なお、溶着ビーズ玩具１を構成するこれらの各部材は、電子レンジのマイクロ波を好適に透過し、かつビーズ溶着時の熱に耐え得る耐熱性樹脂によって構成される。
【００１６】
基板部材２は、図４，５に示すように、透明樹脂からなる板状体であり、その上面を、粒状ビーズを配置するベース面１１とする。ベース面１１は、平坦な水平面に、粒状ビーズを保持する複数の保持凹部１２を等間隔に、密集状に形成してなるものである。各保持凹部１２は、一個の粒状ビーズの底部を収容して、粒状ビーズがベース面１１上を転動しないよう保持する程度の浅い凹部であり、隣接する保持凹部１２に所定径の粒状ビーズを夫々嵌合させると、粒状ビーズ同士が近接状態で保持されるようになっている。また、基板部材２の周縁部には、挟圧部材３や下絵シート５との位置合わせに用いる位置決め突部１３ａ，１３ｂと、ツマミ１４，１４が配設されている。なお、溶着ビーズ玩具１は、図示した基板部材２以外にも、ベース面上の保持凹部の形状や配列の異なる基板部材を複数備えており、作製するビーズ溶着作品や、使用する粒状ビーズに応じて適切な基板部材を選択して使用するよう構成されている。
【００１７】
挟圧部材３は、図３，４，６に示すように、基板部材２と略同じ平面形状をなす板状樹脂部材である。挟圧部材３の周縁部には、全周に亘って上下に突出するフランジ部１７と、基板部材２との位置を合わせ用の位置決め突部１８ａ，１８ｂと、ツマミ１９，１９が形成されている。この挟圧部材３は、略表裏対称形状をなしており、表裏を反転して使用できる。ここで、挟圧部材３の表裏には、表面形状が異なる挟圧面１６ａ，１６ｂが形成されており、ベース面１１と対向する挟圧面１６ａ，１６ｂを表裏反転して変更することで、二通りの表面形状を有するビーズ溶着作品を作製できる。具体的には、一方の挟圧面１６ａは凹凸のない平坦面であり、この挟圧面１６ａをベース面１１に向けて使用した場合には、平坦な意匠面を有するビーズ溶着作品が作製される。これに対して、他方の挟圧面１６ｂには多数の凹部１７が密集状に形成されており、この挟圧面１６ｂをベース面１１に向けて使用した場合には、ビーズ溶着作品の意匠面に、該凹部１７に倣う形状の突部が形成されることとなる。なお、溶着ビーズ玩具１は、図示した挟圧部材３以外にも、挟圧面の形状が異なる挟圧部材を複数備えており、作製するビーズ溶着作品に応じて適切な挟圧部材を選択して使用するよう構成されている。
【００１８】
台座部材６は、図５〜７に示すように、上下に格子状のフィン２２が形成された肉厚板状体であり、その上面に下絵シート５、基板部材２、挟圧部材３を重ねて載置するよう構成される。台座部材６の上面両側部には、基板部材２及び挟圧部材３を整一に重ねるための位置決め板部２４，２４が形成され、さらに、台座部材６の上面周縁部には、基板部材２と下絵シート５を整一に重ねるための位置決め突起２５が形成される。また、台座部材６の両側には、ロック機構８を連結する板状の軸支板部２３，２３が配設される。
【００１９】
蓋部材７は、図３，６に示すように、台座部材６同様に上下に格子状のフィン２２が形成された肉厚板状体である。蓋部材７の両側には、一対の係合耳部２８，２８が側方に延成されている。この係合耳部２８はロック機構８と係合するものであり、台座部材６の軸支板部２３と上下に重なる位置に形成され、その上面には、ロック機構８の脱落を防止する瘤状のストッパ２９，２９が形成される。また、蓋部材７の底面には、挟圧部材３のフランジ部１７と嵌合する周状の嵌合溝３０が形成される。
【００２０】
下絵シート５は、図５に示すように、台座部材６と基板部材２の間に挿入される樹脂シートである。溶着ビーズ玩具１は下絵シート５を複数種類備えており、各下絵シート５には、所定のビーズ溶着作品のビーズ配列を示す指示イラスト３２が記されている。この指示イラスト３２では、下絵シート５を設置した時に保持凹部１２と重なる部分が丸印で記されており、粒状ビーズを載置すべき保持凹部１２に対応する丸印は、載置すべき粒状ビーズの色で着色されている。すなわち、使用者は、透明な基板部材２を通して指示イラスト３２を参照しながら各色の粒状ビーズを並べることで、所定のビーズ溶着作品に必要な配列を実現できる。
【００２１】
ロック機構８，８は、図１，２に示すように、台座部材６の両側に連結されて、蓋部材７の両側部の係合耳部２８，２８と係合し、これにより、基板部材２と挟圧部材３を挟持した状態で台座部材６と蓋部材７を固定する。具体的には、図７，８に示すように、夫々のロック機構８は、台座部材６の軸支板部２３に軸支される連係部材１０と、該連係部材１０に回動可能に軸支される係合部材９とからなる。係合部材９は、先端に係合耳部２８と係合する爪部３５を備える円弧状に湾曲した板状部材であり、図８に示すように、係合耳部２８のストッパ２９に爪部３５を引っ掛け、係合部材９の円弧状部分を撓ませながら連係部材１０を内側下方に回動させるとロック機構８がロック状態となる。そして、両側のロック機構８をロック状態とすると、係合部材９，９の弾性力によって蓋部材７が台座部材６側に押圧された状態で固定され、台座部材６と蓋部材７の間に基板部材２と挟圧部材３が挟圧保持される。挟持された基板部材２と挟圧部材３は、図８に示すように、ベース面１１と挟圧面１６ａを粒状ビーズＢの径よりも近接させて、粒状ビーズＢを変形・溶着する溶着間隙３６を形成する。この時、挟圧部材３のフランジ部１７はベース面１１に当接して、ベース面１１と挟圧面１６ａの間隔を規定するスペーサとして機能する。
【００２２】
以下に、本実施例の溶着ビーズ玩具１の使用方法について説明する。
まず、図９に示すように、台座部材６の上に下絵シート５と基板部材２のみを設置する。そして、かかる状態で、基板部材２のベース面１１上に粒状ビーズＢを配置する。具体的には、指やピンセットを用いて、下絵シート５の指示イラスト３２に適合する色の粒状ビーズＢを一個ずつ保持凹部１２に収容する。粒状ビーズＢには、６０〜８０℃程度で溶融する、熱可塑性樹脂製の孔なし球状ビーズが好適に用いられる。そして、下絵シート５の通りに粒状ビーズＢをベース面１１に並べたら、スポイトＳで水を滴下するなどして、ベース面１１上の粒状ビーズＢを満遍なく濡らす。なお、粒状ビーズＢは、ベース面１１に並べる前に水に漬けて濡らしてもよい。
【００２３】
続いて、図１０（ａ）に示すように、基板部材２に挟圧部材３を載せてベース面１１と挟圧面１６ａの間に粒状ビーズＢを挟み、さらに、蓋部材７を挟圧部材３に被せ、ロック機構８，８によって台座部材６と蓋部材７を固定する。かかる状態では、基板部材２と挟圧部材３が溶着間隙３６を狭める方向に挟圧保持され、ベース面１１上の粒状ビーズＢは挟圧面１６ａとの間で強く挟圧されて弾性変形した状態で保持される。
【００２４】
次に、かかる溶着ビーズ玩具１を、電子レンジに収容して所定時間（例えば、６００Ｗで３分）マイクロ波を照射する。かかるマイクロ波により、予め濡らされた粒状ビーズＢは加熱されて溶融状態となる。そして、溶融状態となった粒状ビーズＢは、図１０（ｂ）に示すように、ベース面１１と挟圧面１６ａの挟圧によって潰れるように塑性変形するとともに隣接する粒状ビーズＢと溶着し、これにより溶着間隙３６内にビーズ溶着作品Ｐが形成されることとなる。このように形成されたビーズ溶着作品Ｐは、溶着ビーズ玩具１ごと常温で放置したり水に付けたりして冷却した後に取り出すことができる。
【００２５】
図１１は、ベース面１１と挟圧面１６ａによって作製されるビーズ溶着作品の一例である。かかるビーズ溶着作品Ｐは、六角形状に配置した多数の粒状ビーズＢを相互に溶着するとともに、板状に塑性変形させたものである。このビーズ溶着作品Ｐの表面側は、図１１（ａ）に示すように平坦な挟圧面１６ａに倣う平坦面となっており、一方、ベース面１１に押圧された裏面側には、図１１（ｂ）に示すように、ベース面１１上の保持凹部１２に倣う、密集状の突部Ｑが立体的な模様として形成される。このように、本実施例の溶着ビーズ玩具１によれば、表裏の意匠面に孔の開いていないビーズ溶着作品Ｐを作製でき、また、ビーズ溶着作品Ｐの意匠面にベース面１１や挟圧面１６ａ，１６ｂに倣う凹凸形状を形成できる。
【００２６】
以上のように、本実施例の溶着ビーズ玩具１では、保持凹部１２に保持した粒状ビーズＢを、基板部材２と挟圧部材３の間で挟圧しながら加熱溶着するものであるため、意匠面に孔のあいていないビーズ溶着作品Ｐを作製でき、従来の溶着ビーズ玩具では作製できない、新しいデザインのビーズ溶着作品Ｐを作製可能となる。なお、本実施例の溶着ビーズ玩具１には、孔なしビーズを使用することが望ましいが、孔あきビーズも使用可能であり、加熱条件を設定すれば、孔あきビーズを使用して孔のあいていないビーズ溶着作品を作製可能である。また、本実施例の溶着ビーズ玩具１は、粒状ビーズの配置や溶着具合を適宜設定することで、意匠面に孔の開いたビーズ溶着作品も作製可能である。
【００２７】
また、本実施例の溶着ビーズ玩具１では、ビーズ溶着作品Ｐの表裏面がベース面１１と挟圧面１６ａ，１６ｂに倣う形状となるから、凹凸形状を有するベース面１１や挟圧面１６ｂを使用することで、ビーズ溶着作品Ｐの表裏面に凹凸形状を形成することができる。本実施例の溶着ビーズ玩具１は、ベース面の保持凹部の形状・配置の異なる複数種類の中から基板部材を選択可能であり、また、挟圧部材も挟圧面の形状の異なる複数種類の中から選択可能となっており、様々な表面形状を有するビーズ溶着作品を作製可能となっている。特に、挟圧部材３は、形状の異なる表裏の挟圧面１６ａ，１６Ｂを選択的に使用可能となっており、一枚の挟圧部材３で、ビーズ溶着作品Ｐに二通りの表面形状を付与できるという利点がある。なお、図１１に示したビーズ溶着作品Ｐの表裏面は、ベース面１１と挟圧面１６ａの表面形状に倣う形状に完全に変形させたものであるが、本実施例の溶着ビーズ玩具１は、電子レンジでの加熱条件を弱めに設定することによって、粒状ビーズＢの本来の表面形状をある程度残したビーズ溶着作品も作製可能である。
【００２８】
また、本実施例の溶着ビーズ玩具１は、マイクロ波を透過可能な耐熱性材料からなるため、電子レンジによって粒状ビーズを加熱溶着できる。この点において、本実施例の溶着ビーズ玩具１と、アイロンで加熱する従来品を比較すると、本実施例では、アイロンの予熱が不要となり、スイッチ操作のみでビーズを加熱できるから、従来品よりも手軽にビーズの溶着作業を行うことができる。また、電子レンジは、アイロンに比べて火傷の危険性が低く、子供でも比較的容易に使用できるという利点がある。特に、水を介して加熱される粒状ビーズは１００℃以上にはならないため、アイロンで１５０℃程度に加熱する従来品よりも溶着温度を抑えることができる。また、本実施例では、粒状ビーズを台座部材６と蓋部材７で覆った状態で加熱溶着するが、台座部材６と蓋部材７は水分を含んでいないためマイクロ波に加熱されて熱くなることはなく、さらに、台座部材６と蓋部材７に設けられた格子状のフィン２２が、溶融した粒状ビーズＢの熱が外表面に伝達するの抑える働きをする。このため、電子レンジで加熱した直後でも、溶着ビーズ玩具１の外表面はそれほど熱くならず、触っても火傷をするおそれが極めて少ない。さらに言えば、本実施例では、電子レンジの出力や作動時間によってビーズの変形・溶着具合を細かく調節できるため、従来品に比べてビーズ溶着作品の出来栄えが安定したものとなる。
【００２９】
なお、本発明の溶着ビーズ玩具は、上記実施例の形態に限らず本発明の要旨を逸脱しない範囲内において種々変更を加えることができる。例えば、ベース面や挟圧面の表面形状や、使用する粒状ビーズの形状は上記実施例から適宜変更可能である。また、挟圧保持機構についても、上記実施例の構成に限らず、既存一般の挟圧保持機構に置換可能である。
【符号の説明】
【００３０】
１  溶着ビーズ玩具
２  基板部材
３  挟圧部材
５  下絵シート
６  台座部材
７  蓋部材
８  ロック機構
９  係合部材
１０  連係部材
１１  ベース面
１２  保持凹部
１６ａ，１６ｂ  挟圧面
２８  係合耳部
Ｂ  粒状ビーズ
Ｐ  ビーズ溶着作品
【図１】
2011139820.tif 000003
【図２】
2011139820.tif 000004
【図３】
2011139820.tif 000005
【図４】
2011139820.tif 000006
【図５】
2011139820.tif 000007
【図６】
2011139820.tif 000008
【図７】
2011139820.tif 000009
【図８】
2011139820.tif 000010
【図９】
2011139820.tif 000011
【図１０】
2011139820.tif 000012
【図１１】
2011139820.tif 000013